【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
（ａ）レイアウトデータをラスタライズ処理して出力用画像データを生成するラスタライズ処理装置であって、
（ａ−１）前記レイアウトデータを構成するオブジェクトの属性と配置情報とを含む第１の属性情報を生成する属性情報生成手段、
を備えるラスタライズ処理装置と、
（ｂ）前記出力用画像データあるいは前記出力用画像データに基づく処理プロセス中で得られる画像データである検版対象データと、前記検版対象データの比較対象となる画像状態を表現した基準データとを相互に比較して検版を行う検版装置であって、
（ｂ−１）前記第１の属性情報が有する座標値を前記検版対象データに適した座標値に変換することにより、前記検版対象データあるいは前記基準データを構成する画像要素の属性と配置情報についての第２の属性情報を生成する属性情報処理手段と、
（ｂ−２）検版処理を行う際に用いられる所定の検版パラメータを設定する検版パラメータ設定手段と、
を備える検版装置と、
を備え、
検版パラメータ設定手段によって前記検版対象データあるいは前記基準データにおいて前記画像要素の属性が同じである領域ごとに前記所定の検版パラメータを設定することにより、前記領域ごとに選択的に検版を行えることを特徴とする印刷システム。
【請求項２】
請求項１に記載の印刷システムであって、
前記検版パラメータ設定手段が、前記領域についての前記検版パラメータを、前記第２の属性情報に基づいて定めることを特徴とする印刷システム。
【請求項３】
請求項２に記載の印刷システムであって、
前記検版装置が、
前記検版パラメータをあらかじめ格納する検版パラメータデータベース、
をさらに備えることを特徴とする印刷システム。
【請求項４】
ラスタライズ処理することにより出力用画像データを生成することができるレイアウトデータに基づいて、前記レイアウトデータを構成するオブジェクトの属性と配置情報とを含む属性情報を生成することを特徴とする属性情報生成装置。
【請求項５】
レイアウトデータをラスタライズ処理して出力用画像データを生成するラスタライズ処理装置であって、
生成したレイアウトデータに基づいて、前記レイアウトデータを構成するオブジェクトの属性と配置情報とを含む属性情報を生成する属性情報生成手段、
を備えることを特徴とするラスタライズ処理装置。
【請求項６】
印刷用画像データの処理プロセス中で得られる検版対象データと、前記検版対象データの比較対象となる画像状態を表現した基準データとを相互に比較して検版を行う検版装置であって、
所定の初期属性情報が有する座標値を前記検版対象データに適した座標値に変換することにより、前記検版対象データあるいは前記基準データを構成する画像要素の属性と配置情報についての属性情報を生成する属性情報処理手段と、
検版処理を行う際に用いられる所定の検版パラメータを設定する検版パラメータ設定手段と、
を備え、
前記検版パラメータ設定手段によって前記検版対象データあるいは前記基準データにおいて前記画像要素の属性が同じである領域ごとに前記所定の検版パラメータを設定することにより、前記領域ごとに選択的に検版を行えることを特徴とする検版装置。
【請求項７】
請求項６に記載の検版装置であって、
前記検版パラメータ設定手段が、前記領域についての前記検版パラメータを、前記属性情報に基づいて定める、
ことを特徴とする検版装置。
【請求項８】
請求項７に記載の検版装置であって、
前記検版パラメータをあらかじめ格納する検版パラメータデータベース、
をさらに備えることを特徴とする検版装置。
【請求項９】
レイアウトデータをラスタライズ処理することにより得られる出力用画像データあるいは前記出力用画像データの処理プロセス中で得られる画像データである検版対象データと、
前記検版対象データの比較対象となる画像状態を表現した基準データと、
を相互に比較して検版を行う印刷データの検版方法であって、
前記レイアウトデータを構成するオブジェクトの属性と配置情報とを含む第１の属性情報を生成する属性情報生成工程と、
前記第１の属性情報が有する座標値を前記検版対象データに適した座標値に変換することにより、前記検版対象データあるいは前記基準データを構成する画像要素の属性と配置情報についての第２の属性情報を生成する属性情報処理工程と、
検版処理を行う際に用いられる所定の検版パラメータを設定する検版パラメータ設定工程と、
を備え、
前記検版パラメータ設定工程において前記検版対象データあるいは前記基準データにおいて前記画像要素の属性が同じである領域ごとに前記所定の検版パラメータを設定することにより、前記領域ごとに選択的に検版を行えることを特徴とする検版方法。
【請求項１０】
請求項９に記載の検版方法であって、
前記検版パラメータ設定工程において、前記領域についての前記検版パラメータを、前記第２の属性情報に基づいて定めることを特徴とする検版方法。
【請求項１１】
請求項１０に記載の検版方法であって、
前記検版パラメータがあらかじめ所定の検版パラメータデータベースに格納されていることを特徴とする検版方法。
【請求項１２】
コンピュータで実行されることにより、前記コンピュータを請求項４に記載の属性情報生成装置として機能させることを特徴とするプログラム。
【請求項１３】
コンピュータで実行されることにより、前記コンピュータを請求項５に記載のラスタライズ処理装置として機能させることを特徴とするプログラム。
【請求項１４】
コンピュータで実行されることにより、前記コンピュータを請求項６ないし請求項８のいずれかに記載の検版装置として機能させることを特徴とするプログラム。
【手続補正２】
【補正対象書類名】明細書
【補正対象項目名】００１０
【補正方法】変更
【補正の内容】
【００１０】
【課題を解決するための手段】
上記課題を解決するため、請求項１の発明は、（ａ）レイアウトデータをラスタライズ処理して出力用画像データを生成するラスタライズ処理装置であって、（ａ−１）前記レイアウトデータを構成するオブジェクトの属性と配置情報とを含む第１の属性情報を生成する属性情報生成手段、を備えるラスタライズ処理装置と、（ｂ）前記出力用画像データあるいは前記出力用画像データに基づく処理プロセス中で得られる画像データである検版対象データと、前記検版対象データの比較対象となる画像状態を表現した基準データとを相互に比較して検版を行う検版装置であって、（ｂ−１）前記第１の属性情報が有する座標値を前記検版対象データに適した座標値に変換することにより、前記検版対象データあるいは前記基準データを構成する画像要素の属性と配置情報についての第２の属性情報を生成する属性情報処理手段と、（ｂ−２）検版処理を行う際に用いられる所定の検版パラメータを設定する検版パラメータ設定手段と、を備える検版装置と、を備え、検版パラメータ設定手段によって前記検版対象データあるいは前記基準データにおいて前記画像要素の属性が同じである領域ごとに前記所定の検版パラメータを設定することにより、前記領域ごとに選択的に検版を行えることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、請求項２の発明は、請求項１に記載の印刷システムであって、前記検版パラメータ設定手段が、前記領域についての前記検版パラメータを、前記第２の属性情報に基づいて定めることを特徴とする。
【手続補正６】
【補正対象書類名】明細書
【補正対象項目名】００１４
【補正方法】変更
【補正の内容】
【００１４】
また、請求項３の発明は、請求項２に記載の印刷システムであって、前記検版装置が、前記検版パラメータをあらかじめ格納する検版パラメータデータベース、をさらに備えることを特徴とする。
【手続補正７】
【補正対象書類名】明細書
【補正対象項目名】００１５
【補正方法】変更
【補正の内容】
【００１５】
また、請求項４の発明は、属性情報生成装置が、ラスタライズ処理することにより出力用画像データを生成することができるレイアウトデータに基づいて、前記レイアウトデータを構成するオブジェクトの属性と配置情報とを含む属性情報を生成する。
【手続補正８】
【補正対象書類名】明細書
【補正対象項目名】００１６
【補正方法】変更
【補正の内容】
【００１６】
また、請求項５の発明は、レイアウトデータをラスタライズ処理して出力用画像データを生成するラスタライズ処理装置であって、生成したレイアウトデータに基づいて、前記レイアウトデータを構成するオブジェクトの属性と配置情報とを含む属性情報を生成する属性情報生成手段、を備えることを特徴とする。
【手続補正９】
【補正対象書類名】明細書
【補正対象項目名】００１７
【補正方法】変更
【補正の内容】
【００１７】
また、請求項６の発明は、印刷用画像データの処理プロセス中で得られる検版対象データと、前記検版対象データの比較対象となる画像状態を表現した基準データとを相互に比較して検版を行う検版装置であって、所定の初期属性情報が有する座標値を前記検版対象データに適した座標値に変換することにより、前記検版対象データあるいは前記基準データを構成する画像要素の属性と配置情報についての属性情報を生成する属性情報処理手段と、検版処理を行う際に用いられる所定の検版パラメータを設定する検版パラメータ設定手段と、を備え、前記検版パラメータ設定手段によって前記検版対象データあるいは前記基準データにおいて前記画像要素の属性が同じである領域ごとに前記所定の検版パラメータを設定することにより、前記領域ごとに選択的に検版を行えることを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また、請求項７の発明は、請求項６に記載の検版装置であって、前記検版パラメータ設定手段が、前記領域についての前記検版パラメータを、前記属性情報に基づいて定める、ことを特徴とする。
【手続補正１３】
【補正対象書類名】明細書
【補正対象項目名】００２１
【補正方法】変更
【補正の内容】
【００２１】
また、請求項８の発明は、請求項７に記載の検版装置であって、前記検版パラメータをあらかじめ格納する検版パラメータデータベース、をさらに備えることを特徴とする。
【手続補正１４】
【補正対象書類名】明細書
【補正対象項目名】００２２
【補正方法】変更
【補正の内容】
【００２２】
また、請求項９の発明は、レイアウトデータをラスタライズ処理することにより得られる出力用画像データあるいは前記出力用画像データの処理プロセス中で得られる画像データである検版対象データと、前記検版対象データの比較対象となる画像状態を表現した基準データと、を相互に比較して検版を行う印刷データの検版方法であって、前記レイアウトデータを構成するオブジェクトの属性と配置情報とを含む第１の属性情報を生成する属性情報生成工程と、前記第１の属性情報が有する座標値を前記検版対象データに適した座標値に変換することにより、前記検版対象データあるいは前記基準データを構成する画像要素の属性と配置情報についての第２の属性情報を生成する属性情報処理工程と、検版処理を行う際に用いられる所定の検版パラメータを設定する検版パラメータ設定工程と、を備え、前記検版パラメータ設定工程において前記検版対象データあるいは前記基準データにおいて前記画像要素の属性が同じである領域ごとに前記所定の検版パラメータを設定することにより、前記領域ごとに選択的に検版を行えることを特徴とする。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
また、請求項１０の発明は、請求項９に記載の検版方法であって、前記検版パラメータ設定工程において、前記領域についての前記検版パラメータを、前記第２の属性情報に基づいて定めることを特徴とする。
【手続補正１８】
【補正対象書類名】明細書
【補正対象項目名】００２６
【補正方法】変更
【補正の内容】
【００２６】
また、請求項１１の発明は、請求項１０に記載の検版方法であって、前記検版パラメータがあらかじめ所定の検版パラメータデータベースに格納されていることを特徴とする。
【手続補正１９】
【補正対象書類名】明細書
【補正対象項目名】００２７
【補正方法】変更
【補正の内容】
【００２７】
また、請求項１２の発明は、コンピュータで実行されることにより、前記コンピュータを請求項４に記載の属性情報生成装置として機能させることを特徴とする。
【手続補正２０】
【補正対象書類名】明細書
【補正対象項目名】００２８
【補正方法】変更
【補正の内容】
【００２８】
また、請求項１３の発明は、コンピュータで実行されることにより、前記コンピュータを請求項５に記載のラスタライズ処理装置として機能させることを特徴とする。
【手続補正２１】
【補正対象書類名】明細書
【補正対象項目名】００２９
【補正方法】変更
【補正の内容】
【００２９】
また、請求項１４の発明は、コンピュータで実行されることにより、前記コンピュータを請求項６ないし請求項８のいずれかに記載の検版装置として機能させることを特徴とする。
【手続補正２２】
【補正対象書類名】明細書
【補正対象項目名】００８０
【補正方法】変更
【補正の内容】
【００８０】
【発明の効果】
以上、説明したように、請求項１ないし請求項５、および、請求項９ないし請求項１３の発明によれば、印刷ワークフローの前段のラスタライズ処理の段階で、印刷画像の構成要素の種別と、その正確な配置位置とを知ることができるので、ワークフローの後段における処理に際し、これらの情報を適宜に利用することができる。
【手続補正２３】
【補正対象書類名】明細書
【補正対象項目名】００８１
【補正方法】変更
【補正の内容】
【００８１】
また、請求項１ないし請求項３、請求項６ないし請求項１１、および、請求項１４の発明によれば、同じ属性を有する画像要素からなる領域のみについて検版を行うことができるので、検版処理の効率化を図ることができるとともに、検版処理により生じた差分が由来する領域の分類と、該分類に基づく検版結果の分析が容易となり、作業効率が向上する。
【手続補正２４】
【補正対象書類名】明細書
【補正対象項目名】００８２
【補正方法】変更
【補正の内容】
【００８２】
また、請求項１、請求項６、および、請求項９の発明によれば、レイアウト時に得られる属性情報が、検版対象データに適合するように変換されるので、レイアウトデータとは異なる解像度やサイズを有する画像データに対しても、属性情報を利用した検版処理を行うことができる。
【手続補正２５】
【補正対象書類名】明細書
【補正対象項目名】００８３
【補正方法】変更
【補正の内容】
【００８３】
また、請求項１ないし請求項３、請求項６ないし請求項８、請求項９ないし請求項１１の発明によれば、それぞれの領域に適した検版パラメータを用いて、特定の領域のみについて検版を行うことができるので、検版処理の実効性をより高めることができる。
【手続補正２６】
【補正対象書類名】明細書
【補正対象項目名】００８４
【補正方法】変更
【補正の内容】
【００８４】
また、請求項２、請求項３、請求項７、請求項８、請求項１０、および、請求項１１の発明によれば、異なる属性を有するそれぞれの領域ごとに、該領域に適した検版パラメータを用いて検版を行うことができる。
【手続補正２７】
【補正対象書類名】明細書
【補正対象項目名】００８５
【補正方法】変更
【補正の内容】
【００８５】
また、請求項３、請求項８、および、請求項１１の発明によれば、異なる属性を有するそれぞれの領域に適した検版パラメータを容易に選択、設定できるので、検版処理が効率化される。